(57)【特許請求の範囲】
【請求項１】
Ｘ線を発生するＸ線発生源を備える画像撮影装置であって、
前記Ｘ線を受けて光に変換するシンチレータと、前記光を電気信号に変換する光検出器と、前記電気信号をデジタル信号に変換するデータ収集部とを有する検出器ブロックと、
複数の前記検出器ブロックを配列して固定する固定部材と、
基板と、
複数の前記検出器ブロックの背面に、被検体の体軸方向と平行な方向及びこの方向と直行する方向に格子状に配置され、複数の前記検出器ブロックにおける前記データ収集部の電気端子と前記基板とを電気的に接続する電気接続手段と、
を備えることを特徴とする画像撮影装置。
【請求項２】
前記電気接続手段は、フレキシブルケーブルであることを特徴とする請求項１に記載の画像撮影装置。
【請求項３】
前記電気接続手段は、異方性導電体シートであることを特徴とする請求項１に記載の画像撮影装置。
【請求項４】
前記検出器ブロックは、前記固定部材に対して第１方向と前記第１方向と交差する第２方向に沿って配列されており、各前記検出器ブロックは、前記固定部材に対して着脱可能に固定されていることを特徴とする請求項１〜請求項３のいずれか１つの項に記載の画像撮影装置。
【請求項５】
複数の前記検出器ブロックには、前記Ｘ線を各前記検出器ブロックの前記シンチレータに導くための１つのコリメータが配置されていることを特徴とする請求項４に記載の画像撮影装置。
【請求項６】
各前記検出器ブロックの前記シンチレータには、それぞれ前記Ｘ線を各前記検出器ブロックの前記シンチレータに導くためのコリメータが積層されていることを特徴とする請求項４に記載の画像撮影装置。
【発明の詳細な説明】
【技術分野】
【０００１】
本発明は、放射線検出装置を有する画像撮影装置に関する。
【背景技術】
【０００２】
画像撮影装置は画像診断撮影装置ともいい、例えばＸ線ＣＴ（Ｃｏｍｐｕｔｅｄ  Ｔｏｍｏｇｒａｐｈｙ）装置は、病院等の医療施設において使用されている。Ｘ線ＣＴ装置の架台には、Ｘ線検出器を備えている。Ｘ線管球で発生したＸ線は、このＸ線管球の回転に伴って被検体に対して曝射され、この被検体を透過したＸ線は、Ｘ線検出器に入射されることで、被検体の断層像を取得するようになっている。
【０００３】
そして、Ｘ線検出器は入射したＸ線を電気信号に変換して、Ｘ線検出器からの電気信号は増幅された後に、データ収集装置（データ収集部：ＤＡＳ：Ｄａｔａ  Ａｃｑｕｉｓｉｔｉｏｎ  Ｓｙｓｔｅｍ）によりデジタル信号に変換される。このデジタル化されたデータ信号は、データ伝送システムを用いてコンソール側に伝送される。
【０００４】
Ｘ線検出器では複数の検出器ブロックが２次元的に配列されている。被検体を載せた寝台は、被検体の体軸方向に沿って移動して、架台の開口部内に挿入されるようなっており、このことは特許文献１に開示されている。この寝台は、被検体の体軸方向に沿って１軸移動されることで、被検体の部位の撮影範囲がＸ線撮影される（特許文献１を参照）。
【先行技術文献】
【特許文献】
【０００５】
【特許文献１】特開２００８―２５９７３３号公報
【発明の概要】
【発明が解決しようとする課題】
【０００６】
ところで、Ｘ線ＣＴ装置では、Ｘ線検出器の大面積化に伴って、Ｘ線検出器を製造する際の歩留まりを向上するために、図１２に示すように、検出器ブロック２００は例えば複数個のフォトダイオードを集めてブロック化したものである。そこで、複数の検出器ブロック２００は、コネクタ２０１と、フレキシブルケーブル２０２と、コネクタ２０３を用いて、離れた位置にあるデータ収集装置２０４に対して、電気的に接続されている。フレキシブルケーブル２０２は、検出器ブロック２００に対して制御して給電し、検出器ブロック２００からデータの取り出すのに用いられる。
【０００７】
しかし、データ収集装置２０４が大きいために、複数の検出器ブロックを縦横に並べて光学的に正確に配置する、いわゆるタイリング作業を行う作業が、実際の製造工程では困難である。
【０００８】
また、フレキシブルケーブル２０２が検出器ブロック２００からデータ収集装置２０４までを電気的に接続しているが、このフレキシブルケーブル２０２の接続距離Ｎが長くなるので、フレキシブルケーブル２０２の静電容量が大きくなってしまい、ノイズの影響を受け易い。
【０００９】
本発明は、上記に鑑みてなされたものであり、その目的は、複数の検出器ブロックを並べて光学的にしかも機械的に正確に配置することができ、ノイズの影響を受けにくい画像撮影装置を提供することである。
【課題を解決するための手段】
【００１０】
請求項１の発明は、Ｘ線を発生するＸ線発生源を備える画像撮影装置であって、
前記Ｘ線を受けて光に変換するシンチレータと、前記光を電気信号に変換する光検出器と、前記電気信号をデジタル信号に変換するデータ収集部とを有する検出器ブロックと、
複数の前記検出器ブロックを配列して固定する固定部材と、
基板と、
複数の前記検出器ブロックの背面に、被検体の体軸方向と平行な方向及びこの方向と直行する方向に格子状に配置され、複数の前記検出器ブロックにおける前記データ収集部の電気端子と前記基板とを電気的に接続する電気接続手段と、
を備えることを特徴とする。これにより、複数の検出器ブロックを並べて光学的にしかも機械的に正確に配置することができ、ノイズの影響を受けにくい。また、電気接続手段を格子状に配置することで、電気接続手段の強度を上げることができ、各フレキシブルケーブル６１の電位のグランドを共通化できる。
【００１１】
請求項２の発明は、画像撮影装置において、前記電気接続手段は、フレキシブルケーブルであることを特徴とする。これにより、フレキシブルケーブルを用いるだけで、データ収集部の電気端子と前記基板とを簡単に電気的に接続することができる。
【００１２】
請求項３の発明は、画像撮影装置において、前記電気接続手段は、異方性導電体シートであることを特徴とする。これにより、異方性導電体シートを用いるだけで、データ収集部の電気端子と基板とを簡単に電気的に接続することができる。
【００１３】
請求項４の発明は、画像撮影装置において、前記検出器ブロックは、前記固定部材に対して第１方向と前記第１方向と交差する第２方向に沿って配列されており、各前記検出器ブロックは、前記固定部材に対して着脱可能に固定されていることを特徴とする。これにより、検出器ブロックが故障した場合でも、故障した検出器ブロックだけを固定部材から外して、新たな検出器ブロックと交換することができ、１つの検出器ブロックが故障した場合にも関わらず、全ての検出器ブロックを同時に交換しなければならない事態を防げ、メンテナンス費用を削減できる。
【００１４】
請求項５の発明は、画像撮影装置において、複数の前記検出器ブロックには、前記Ｘ線を各前記検出器ブロックの前記シンチレータに導くための１つのコリメータが配置されていることを特徴とする。これにより、複数の検出器ブロックに対して、１つのコリメータを用意すれば良い。
【００１５】
請求項６の発明は、画像撮影装置において、各前記検出器ブロックの前記シンチレータには、それぞれ前記Ｘ線を各前記検出器ブロックの前記シンチレータに導くためのコリメータが積層されていることを特徴とする。これにより、別途コリメータを用意する必要がなくなり、部品点数を減らし、小型化が実現できる。
【発明の効果】
【００１６】
本発明によれば、複数の検出器ブロックを並べて光学的にしかも機械的に正確に配置することができ、ノイズの影響を受けにくい画像撮影装置を提供することができるとともに電気接続手段を格子状に配置することで、電気接続手段の強度を上げることができ、各フレキシブルケーブル６１の電位のグランドを共通化できる。
【図面の簡単な説明】
【００１７】
【図１】本発明の実施形態１を示し、画像撮影装置の一例である医用診断のために画像撮影を行うＸ線ＣＴ装置を示す斜視図である。
【図２】図１に示すＸ線ＣＴ装置をより詳しく示す図である。
【図３】図２に示す架台をＢ方向から見た正面図である。
【図４】放射線検出装置の構成例を概念的に示している分解斜視図である。
【図５】図５（Ａ）と図５（Ｂ）は、コリメータがＸ方向に沿って湾曲して形成されており、しかも複数の検出器ブロックが、Ｘ方向とＺ方向にマトリックス配列された例を示す斜視図である。
【図６】コリメータと、複数の検出器ブロックと、検出器ブロック用の固定部材と、フレキシブルケーブルと、コネクタと、バック基板を示す図である。
【図７】各検出器ブロックが固定部材の一方の面に固定されている構造例を示す図である。
【図８】本発明の実施形態２を示す図である。
【図９】図６に示すフレキシブルケーブルと図８に示すフレキシブルケーブルの配置例を示す図である。
【図１０】本発明の実施形態３を示す図である。
【図１１】本発明の実施形態４を示す図である。
【図１２】従来例を示す図である。
【発明を実施するための形態】
【００１８】
本発明の実施形態について図面を参照して説明する。
【００１９】
（実施形態１）
図１は、本発明の画像撮影装置の一例である医用診断のために画像撮影を行うＸ線ＣＴ装置を示す斜視図である。図２は、図１に示すＸ線ＣＴ装置をより詳しく示す図である。
【００２０】
図１に示すＸ線ＣＴ装置１０は、架台（ガントリ）１１と、寝台３０備えている。架台１１と寝台３０は、設置面１２に設定されている。架台１１の内部には、回転部１３が設けられている。架台１１の中心部であって回転部１３の中心部には、円形状の開口部１４が設けられている。この開口部１４内には、寝台３０の天板３１とともにこの天板３１に載せた被検体Ｍを、Ｚ方向（開口部１４の軸方向）に沿って挿入して位置決め可能である。
【００２１】
ここで、図２と図１を参照しながら、架台１１の構成例をさらに詳しく説明する。
【００２２】
図２と図１に示すように、架台１１は、本体カバー１５と基台１６を有しており、本体カバー１５は基台１６の上に設けられている。基台１６は設置面１２に設置されている。
【００２３】
図２に示すように、本体カバー１５は、前面カバー部１７と、背面カバー部１８と、表面カバー部１９を有している。これらの前面カバー部１７と背面カバー部１８と表面カバー部１９は、回転部１３を覆っている。前面カバー部１７と背面カバー部１８は、開口部１４を形成している。
【００２４】
図２に示すように、回転部１３は、Ｘ線発生源であるＸ線管球２０と、Ｘ線管球２０のＸ線を検出する放射線検出装置５０と、図示しない高電圧発生部を備えており、Ｘ線管球２０と放射線検出装置５０は、開口部１４の中心軸を中心として対向して配置されている。
【００２５】
図２に例示するように、開口部１４内には、寝台３０の天板３１とともに天板３１に載せた被検体Ｍの例えば頭部ＨＤが挿入される。そして、Ｘ線管球２０は被検体Ｍの例えば頭部ＨＤに対してＸ線を曝射して、被検体Ｍの例えば頭部ＨＤを透過したＸ線は放射線検出装置５０で検出される。これにより、放射線検出装置５０では、検出したＸ線量を一旦光に変換して、さらにこの光をアナログの電気信号に変換して、アナログの電気信号は、データ収集部（ＤＡＳ：Ｄａｔａ  Ａｃｑｕｉｓｉｔｉｏｎ  Ｓｙｓｔｅｍ）により増幅されて、デジタルデータ（投影データ）に変換される。
【００２６】
図２に示すデータ伝送部２３は、放射線検出装置５０からのコンソール２４へデジタルデータを非接触で伝送するものであり、デジタルデータは、回転部１３側の送信部２３Ａから架台１１の固定部側の受信部２３Ｂへ送信されることで、データ伝送部２３を通じてコンソール２４側に伝送される。これにより、コンソール２４は被検体Ｍの断層像を取得する。
【００２７】
また、回転部１３には、スリップリング２５が設けられており、スリップリング２５は図示しない高電圧発生部に電力を供給する。
【００２８】
図２に示す寝台３０は、天板３１と台座部３２を有しており、天板３１の上には被検体Ｍを載置させる。台座部３２は、天板３１をＹ方向に沿って上下移動して高さ方向の位置決めができ、Ｚ方向に沿って移動して水平方向の位置決めができる。Ｙ方向とＺ方向は直交している。このＺ方向は被検体Ｍの体軸方向ＣＬと平行である。
【００２９】
図３は、図２に示す架台１１をＢ方向から見た正面図である。
【００３０】
図３に示すように、Ｘ線管球２０と放射線検出装置５０とは、開口部１４を挟んで対向して配置されている。この放射線検出装置５０は、次に説明するように、Ｘ線管球２０を中心として、Ｘ方向に沿って円弧状に形成されている。Ｘ方向は放射線検出装置５０の検出器ブロックのチャンネル方向であり、Ｚ方向は被検体の体軸方向ＣＬと平行である。このＸ方向は第１方向であり、Ｚ方向は第２方向であり、Ｘ方向とＺ方向は直交している。
【００３１】
図４は、放射線検出装置５０の構成例を概念的に示している分解斜視図である。
【００３２】
図４に示すように、放射線検出装置５０は、コリメータ５１と、検出器ブロック５２を有する。検出器ブロック５２は、シンチレータ５３と、光検出部５４と、データ収集部（ＤＡＳ：Ｄａｔａ  Ａｃｑｕｉｓｉｔｉｏｎ  Ｓｙｓｔｅｍ）５５を備え、シンチレータ５３と、光検出部５４と、データ収集部５５は積層されることで、ブロック化されている。
【００３３】
図４に示すコリメータ５１は、図２に示すＸ線管球２０から発生するＸ線１００を、シンチレータ５２に効率良く曝射させるために設けられており、別の部分で反射したＸ線などのノイズを除去する。シンチレータ５３は、コリメータ１５を通過して到達したＸ線１００を、光Ｌに変換する。光検出部５４は、例えば複数のフォトダイオードを用いて構成されており、この光Ｌを電気信号に変換してアナログ信号にして、このアナログ信号は、データ収集部５５に送られる。
【００３４】
図５（Ａ）と図５（Ｂ）は、コリメータ５１がＸ方向に沿って湾曲して形成されており、しかも複数の検出器ブロック５２が、湾曲しているＸ方向とＺ方向にマトリックス状に配列された例を示す斜視図である。
【００３５】
図５に示す本発明の実施形態では、コリメータ５１がＸ方向に沿って湾曲して形成されており、しかも複数の検出器ブロック５２が、Ｘ方向とＺ方向にマトリックス配列されている。すなわち、コリメータ５１は、複数の検出器ブロック５２を覆う広さを有しており、１つのコリメータ５１が用いられている。これにより、複数の検出器ブロックに対して、１つのコリメータを用意すれば良く、各検出器ブロックに対してそれぞれコリメータを配置する場合に比べて部品点数が減らせる。
【００３６】
図６は、コリメータ５１と、複数の検出器ブロック５２と、検出器ブロック用の固定部材７０と、フレキシブルケーブル６１と、コネクタ６２と、バック基板６３を示している。なお、図６では、図面の簡単化のために、Ｘ方向に沿って４つの検出器ブロック５２を代表して示しているが、実際にはＸ方向とＺ方向に沿って任意の数の検出器ブロック５２が固定部材７０に対してマトリックス状に配列され、しかも着脱可能に固定されている。
【００３７】
図６に示すように、コリメータ５１の凸面５１Ａは、複数の検出器ブロック５２に対面して配置されている。コリメータ５１の反対側の凹面５１Ｂは、Ｘ線を受ける側である。
【００３８】
図６に示すように、固定部材７０は例えば平板状の部材である。複数の検出器ブロック５２は、固定部材７０の一方の面７０Ａにおいて、配列ピッチＰ毎に、そして稠密に間隔をおいて、Ｘ方向とＺ方向に沿ってマトリックス状に配列されており、機械的に着脱可能に固定されている。
【００３９】
図７は、各検出器ブロック５２が固定部材７０の一方の面７０Ａに固定されている構造例を示している。この固定部材７０は、各検出器ブロック５２を機械的にしかも光学的に正確な位置に固定するための部材である。
【００４０】
各検出器ブロック５２は、例えば複数本のネジ７１により、固定部材７０に対して着脱可能に取り付けられている。このように、各検出器ブロック５２が固定部材７０に対して着脱可能に取り付けられていることにより、例えば検出器ブロック５２の光検出部５４とデータ収集部５５のいずれか少なくとも一方が故障した場合でも、不具合な検出器ブロック５２だけを簡単に交換することができる。このため、検出器ブロックが故障した場合でも、故障した検出器ブロックだけを固定部材から外して、新たな検出器ブロックと交換することができ、１つの検出器ブロックが故障した場合にも関わらず、全ての検出器ブロックを同時に交換しなければならない事態を防げ、メンテナンス費用を削減できる。
【００４１】
これにより、全部の検出器ブロック５２とともに固定部材７０とフレキシブルケーブル６１を交換する事態になることを防ぐことができ、メンテナンスが容易である。
【００４２】
図６と図７に示すように、データ収集部５５の電気端子７３は、フレキシブルケーブル６１の電気端子７４に対して電気的に接続されている。フレキシブルケーブル６１の屈曲部７５は、データ収集部５５の電気端子７３とフレキシブルケーブル６１の電気端子７４の位置合わせをするためにフレキシブルケーブル６１の一部を弾性変形させることで、任意に設けることができる。これにより、データ収集部５５の電気端子７３とフレキシブルケーブル６１の電気端子７４の位置合わせを確実に行うことができる。
【００４３】
図６に示すように、フレキシブルケーブル６１は電気コネクタ６２を介してバック基板６３に対して電気的に接続されている。このように、フレキシブルケーブル６１は、データ収集部５５の電気端子７３とバック基板６３とを電気的に接続する電気接続手段の一例である。バック基板６３は、コンソール２４の画像処理部７５に対して電気的に接続されている。
【００４４】
次に、上述した本発明の実施形態の動作を、図１〜図７を参照して、説明する。
【００４５】
図１に示すＸ線ＣＴ装置１０を用いて被検体Ｍの撮影をする動作例を説明する。
【００４６】
図２に例示するように、寝台３０の天板３１は被検体Ｍを載せた状態で、架台１１の開口部１４内に挿入され、被検体Ｍの頭部ＨＤが開口部１４内に位置決めされる。
【００４７】
図２に示すように、Ｘ線管球２０はＸ線を発生し、Ｘ線管球２０は、Ｒ方向に沿ってシステム軸線ＣＬを中心にして回転される。Ｘ線管球２０からＸ線１００が被検体Ｍに対して曝射されると、図４に示すように、Ｘ線管球２０からのＸ線１００は、被検体Ｍと透過して、放射線検出装置５０のコリメータ５１を通り、検出器ブロック５２のシンチレータ５３に入射される。
【００４８】
図６に示すシンチレータ５３は、入射されたＸ線１００を光Ｌに変換して、光Ｌは光検出部５４に受光される。これにより、光Ｌは、光―電気信号変換され、光―電気信号変換されたアナログ信号である形態情報データは、データ収集部５５においてデジタル信号Ｓになる。
【００４９】
このデジタル信号Ｓは、図６に示すデータ収集部５５の電気端子７３とフレキシブルケーブル６１の電気端子７４と、フレキシブルケーブル６１の導体線部と電気コネクタ６２とバック基板６３を介して、コンソール２４の画像処理部７５に対して送られることで、例えば被検体の頭部の形態をコンソール２４の表示装置に表示することができる。これにより、図２に示すＸ線撮影対象部位の具体的な一例である被検体Ｍの頭部ＨＤは、往復撮影範囲ＰにおいてＸ線撮影される。
【００５０】
このように、画像撮影装置の一例であるＸ線ＣＴ装置１０では、放射線検出装置５０は、コリメータ５１と、検出器ブロック５２を有し、検出器ブロック５２は、シンチレータ５３と、光検出部５４と、データ収集部５５を備えており、シンチレータ５３と、光検出部５４と、データ収集部５５は一体的に配置するによりモジュール化されている。  これにより、放射線検出装置５０の検出器ブロック５２は、複数の検出器ブロックを並べて光学的にしかも機械的に正確に配置することができ、ノイズの影響を受けにくい。
【００５１】
次に、本発明の別の実施形態を説明する。
【００５２】
なお、以下に説明する本発明の別の実施形態における構成要素が、図１〜図７に示す実施形態１の対応する構成要素と実質的に同じである場合には、同じ符号を記してその説明を用いることにする。
【００５３】
（実施形態２）
図８は、本発明の実施形態２を示している。
【００５４】
図８に示す本発明の実施形態２が、図６に示す本発明の実施形態１とほぼ同じ構成を有しているが、本発明の実施形態２の放射線検出装置５０Ｒが図６に示す本発明の実施形態１の放射線検出装置５０と異なるのは、コリメータ５１Ｒの形状である。
【００５５】
図６に示す実施形態１では、１つのコリメータ５１が、各検出器ブロック５２に対して共通して配置されている。これに対して、図８に示す実施形態２では、各検出器ブロック５２に対してそれぞれコリメータ５１Ｒが一体的に配置されている。
【００５６】
図９では、図６に示すフレキシブルケーブル６１と図８に示すフレキシブルケーブル６１の配置例を示している。図９（Ａ）では、フレキシブルケーブル６１は、Ｚ方向とＺ方向に直交するＸ１方向に沿って格子状に配置されている。図９（Ｂ）では、フレキシブルケーブル６１は、Ｘ１方向に平行にすだれ状に配置されている。図９（Ａ）に示すフレキシブルケーブル６１の配置例は、図９（Ｂ）のフレキシブルケーブル６１の配置例に比べて、強度を上げることができ、各フレキシブルケーブル６１の電位のグランドを共通化できる。
【００５７】
（実施形態３）
図１０は、本発明の実施形態３を示している。
【００５８】
図１０に示す本発明の実施形態３が、図６に示す本発明の実施形態１とほぼ同じ構成を有しているが、本発明の実施形態３の放射線検出装置５０Ｓが図６に示す本発明の実施形態１の放射線検出装置５０と異なるのは、図１０に示す電気接続手段としてのフレキシブルケーブル６１に代えて、電気接続手段としての異方性導電体シート１７０が配置されていることである。
【００５９】
図１０に示すように、異方性導電体シート１７０は、絶縁フィルム１７１の中に多数の球状の導電体１７２が含まれている。検出器ブロック５２のデータ収集部５５の電気端子７３が異方性導電体シート１７０の一方の面に押しつけられるとともに、バック基板６３の電気端子６３Ｂが異方性導電体シート１７０の他方の面に押しつけられることにより、電気端子７３，６３Ｂは導電体１７２を挟むことで相互の導通を行うことができる。しかも、異方性導電体シート１７０は、検出器ブロック５２のデータ収集部５５とバック基板６３を直接的に電気的に接続できるので、放射線検出装置の小型化と、部品点数の削減が図れる。
【００６０】
図１０に示す本発明の実施形態３では、図６に示す本発明の実施形態１と同じように、１つのコリメータ５１が、各検出器ブロック５２に対して共通して配置されている。
【００６１】
（実施形態４）
図１１は、本発明の実施形態４を示している。
【００６２】
図１１に示す本発明の実施形態４が、図１０に示す本発明の実施形態３とほぼ同じ構成を有しているが、本発明の実施形態４の放射線検出装置５０Ｔが図１０に示す本発明の実施形態３の放射線検出装置５０Ｓと異なるのは、コリメータ５１Ｒの形状である。
【００６３】
図１０に示す実施形態３では、１つのコリメータ５１が、各検出器ブロック５２に対して共通して配置されている。これに対して、図１１に示す実施形態４では、各検出器ブロック５２に対してそれぞれコリメータ５１Ｒが一体的に配置されている。
【００６４】
図１１に示すように、異方性導電体シート１７０は、絶縁フィルム１７１の中に多数の球状の導電体１７２が含まれている。検出器ブロック５２のデータ収集部５５の電気端子７３が異方性導電体シート１７０の一方の面に押しつけられるとともに、バック基板６３の電気端子６３Ｂが異方性導電体シート１７０の他方の面に押しつけられることにより、電気端子７３，６３Ｂは導電体１７２を挟むことで相互の導通を行うことができる。しかも、異方性導電体シート１７０は、検出器ブロック５２のデータ収集部５５とバック基板６３を直接的に電気的に接続できるので、放射線検出装置の小型化と、部品点数の削減が図れる。
【００６５】
本発明は、上記実施形態に限定されない。例えば図示例では、画像撮影装置の一例としてＸ線ＣＴ装置を上げているが、これに限らず装置等の他の装置であっても良い。例えば、本発明の画像撮影装置は、ＰＥＴ（Ｐｏｓｉｔｉｏｎ  Ｅｍｉｓｓｉｏｎ  ｃｏｍｐｕｔｅｄ  Ｔｏｍｏｇｒａｐｈｙ：陽電子放出コンピュータ断層撮影）装置としても適用でき、この場合には、Ｘ線管球２０からのＸ線１００が被検体Ｍに対して曝射されて、Ｘ線１００が被検体Ｍ内の薬剤に入射されると、その薬剤投与の部位からはガンマ線が発生して、このガンマ線がシンチレータに入射され、ガンマ線を光に変換して、光が光検出部に受光される。
【００６６】
さらに、本発明の実施の形態に開示されている複数の構成要素を適宜組み合わせることにより種々の発明を形成できる。例えば、本発明の実施の形態に示される全構成要素から幾つかの構成要素を削除してもよい。更に、異なる実施の形態に亘る構成要素を適宜組み合わせてもよい。
【符号の説明】
【００６７】
１０          Ｘ線ＣＴ装置
１１          架台
１４          開口部
２０          Ｘ線発生源であるＸ線管球
３０          寝台
５０          放射線検出装置
５１          コリメータ
５２          検出器ブロック
５３          シンチレータ
５４          光検出部
５５          データ収集部
６１          フレキシブルケーブル（電気接続手段の一例）
６２          コネクタ
６３          バック基板（基板の一例）
７０          固定部材
７３          データ収集部の電気端子  
１００        Ｘ線
１７０        異方性導電体シート（電気接続手段の一例）
Ｘ            第１方向
Ｚ            第２方向
【図１】
0005523820.tif 000002
【図２】
0005523820.tif 000003
【図３】
0005523820.tif 000004
【図４】
0005523820.tif 000005
【図５】
0005523820.tif 000006
【図６】
0005523820.tif 000007
【図７】
0005523820.tif 000008
【図８】
0005523820.tif 000009
【図９】
0005523820.tif 000010
【図１０】
0005523820.tif 000011
【図１１】
0005523820.tif 000012
【図１２】
0005523820.tif 000013